(57)【要約】本発明の美顔器具は、使用者の顔面に装着されるとともに、使用者の頬部、およびその周辺を被覆するパッド部と、パッド部に設けられた複数の電極と、電極に電圧を印可する電源部と、を備えている。
2020012754.tif 000002
【特許請求の範囲】
【請求項１】
使用者の顔面に装着されるとともに、使用者の頬部、およびその周辺を被覆するパッド部と、
前記パッド部に設けられた複数の電極と、
前記電極に電圧を印可する電源部と、を備えている美顔器具。
【請求項２】
前記パッド部は左右一対設けられ、
左右一対の前記パッド部が、前記電源部を有する連結部により、互いに連結されていることを特徴とする請求項１に記載の美顔器具。
【請求項３】
前記パッド部は、基部から先端部に向けて互いに異なる方向に延びる形状を呈していることを特徴とする請求項１に記載の美顔器具。
【請求項４】
前記電源部は、前記パッド部の基部に取り付けられていることを特徴とする請求項３に記載の美顔器具。
【請求項５】
前記パッド部は、前記基部を通る略円弧状に延びる円弧状パッドと、
前記基部から、前記円弧状パッドにおける円弧の内側に向けて延びる中間パッドと、を備えていることを特徴とする請求項３又は４に記載の美顔器具。
【請求項６】
前記パッド部は、合成化合物により一体に形成されていることを特徴とする請求項１から５のいずれか１項に記載の美顔器具。
【請求項７】
前記連結部は、使用者が使用する際に、使用者の頭部又は首部を覆うように湾曲して延びるバンド部材であることを特徴とする請求項２に記載の美顔器具。
【請求項８】
前記パッド部は矩形状をなし、
複数の前記電極は、正極および負極が、前記パッド部にそれぞれ２組設けられていることを特徴とする請求項７に記載の美顔器具。
【請求項９】
前記パッド部を前記連結部の両端部に連結する支持軸を備え、
前記支持軸は、前記パッド部を前記連結部の両端部に対して回転可能に支持することを特徴とする請求項７又は８に記載の美顔器具。
【請求項１０】
前記パッド部のうち、前記電極が設けられた部分は、使用者の顔面のうち、眼の中心よりも左右方向における前記顔面の内側に位置する部分に接触することを特徴とする請求項９に記載の美顔器具。
【請求項１１】
複数の駆動モードとしてウォーミングアップモード、トレーニングモード、およびクーリングダウンモードを備えるとともに、この順に前記複数の駆動モードが切り替わるように駆動し、
前記トレーニングモードにおいて、前記電極に印可される電圧の周波数は、前記ウォーミングアップモードおよびクーリングダウンモードにおいて、前記電極に印可される電圧の周波数よりも高くなっていることを特徴とする請求項１から１０のいずれか１項に記載の美顔器具。
【請求項１２】
前記ウォーミングアップモードにおいて、前記電極に印可される電圧の周波数は、前記クーリングダウンモードにおいて、前記電極に印可される電圧の周波数と互いに同等となっているとともに、前記トレーニングモードにおいて、前記電極に印可される電極の周波数の半分以下となっていることを特徴とする請求項１１に記載の美顔器具。
【請求項１３】
前記電極に印可される電圧値を入力する操作部と、
前記操作部に入力された電圧値に基づいて、前記電源部を制御する制御部と、を備えていることを特徴とする請求項１から１２のいずれか１項に記載の美顔器具。
【請求項１４】
前記操作部から前記制御部に向けて、入力値を無線通信で伝達する無線通信部を備えていることを特徴とする請求項１３に記載の美顔器具。
【請求項１５】
前記請求項１から１４のいずれか１項に記載の美顔器具と、
前記電極に印可された電圧値の履歴を記録する記録部と、
前記履歴を表示する履歴表示部と、を備えていることを特徴とする美顔ユニット。
【請求項１６】
前記請求項１から１４のいずれか１項に記載の美顔器具と、
前記パッド部の内部に設けられ、使用者の筋肉量を計測する筋肉量計測部と、
前記筋肉量計測部により計測された使用者の筋肉量を表示する筋肉量表示部と、を備えた美顔ユニット。
【請求項１７】
前記請求項１から１４のいずれか１項に記載の美顔器具と、
前記パッド部の内部に設けられ、使用者の肌水分量および肌弾力量のうち、少なくともいずれか一方を計測する肌状態計測部と、
前記肌状態計測部により計測された肌の状態を表示する肌状態表示部と、を備えた美顔ユニット。
【発明の詳細な説明】
【技術分野】
【０００１】
本発明は、美顔器具、および美顔ユニットに関する。
【背景技術】
【０００２】
従来、例えば下記特許文献１に示すように、使用者の顔面に物理的な刺激を与えて、疲労回復効果、および痩身効果を得ることで、美容に供する美顔器具が知られている。【０００３】
この美顔器具では、使用者の顔面を被覆するマスクの内部に振動素子が設けられている。そして使用者がマスクを顔面に装着した状態で、振動素子が振動することで、前述した各効果を奏することができる。
【先行技術文献】
【特許文献】
【０００４】
【特許文献１】特開２００５−１１８５２７号公報
【発明の概要】
【発明が解決しようとする課題】
【０００５】
しかしながら、特許文献１に記載の発明では、マスクが顔面を全体的に被覆するため、例えば長時間の使用等に際して、不快感を伴うおそれがあった。【０００６】
そこで本発明は、顔面の一部のみを被覆することで、使用に際する不快感を抑え、楽しみながら使用することができる美顔器具を提供することを目的とする。
【課題を解決するための手段】
【０００７】
上記課題を解決するために、本発明の美顔器具は、使用者の顔面に装着されるとともに、使用者の頬部、およびその周辺を被覆するパッド部と、パッド部に設けられた複数の電極と、電極に電圧を印可する電源部と、を備えている。【０００８】
また、パッド部は左右一対設けられ、左右一対のパッド部が、電源部を有する連結部により、互いに連結されてもよい。【０００９】
また、パッド部は、基部から先端部に向けて互いに異なる方向に延びる形状を呈してもよい。【００１０】
また、電源部は、パッド部の基部に取り付けられてもよい。【００１１】
また、パッド部は、基部を通る略円弧状に延びる円弧状パッドと、基部から、円弧状パッドにおける円弧の内側に向けて延びる中間パッドと、を備えてもよい。【００１２】
また、パッド部は、合成化合物により一体に形成されてもよい。【００１３】
また、連結部は、使用者が使用する際に、使用者の頭部又は首部を覆うように湾曲して延びるバンド部材であってもよい。【００１４】
また、パッド部は矩形状をなし、複数の電極は、正極および負極が、パッド部にそれぞれ２組設けられてもよい。【００１５】
また、パッド部を連結部の両端部に連結する支持軸を備え、支持軸は、パッド部を連結部の両端部に対して回転可能に支持してもよい。【００１６】
また、パッド部のうち、電極が設けられた部分は、使用者の顔面のうち、眼の中心よりも左右方向における顔面の内側に位置する部分に接触してもよい。【００１７】
また、複数の駆動モードとしてウォーミングアップモード、トレーニングモード、およびクーリングダウンモードを備えるとともに、この順に複数の駆動モードが切り替わるように駆動し、トレーニングモードにおいて、電極に印可される電圧の周波数は、ウォーミングアップモードおよびクーリングダウンモードにおいて、電極に印可される電圧の周波数よりも高くなってもよい。【００１８】
また、ウォーミングアップモードにおいて、電極に印可される電圧の周波数は、クーリングダウンモードにおいて、電極に印可される電圧の周波数と互いに同等となっているとともに、トレーニングモードにおいて、電極に印可される電極の周波数の半分以下となってもよい。【００１９】
また、電極に印可される電圧値を入力する操作部と、操作部に入力された電圧値に基づいて、電源部を制御する制御部と、を備えてもよい。【００２０】
また、操作部から制御部に向けて、入力値を無線通信で伝達する無線通信部を備えてもよい。【００２１】
また、上記課題を解決するために、本発明の美顔ユニットは、前述したいずれかの美顔器具と、電極に印可された電圧値の履歴を記録する記録部と、履歴を表示する履歴表示部と、を備えている。【００２２】
また、上記課題を解決するために、本発明の美顔ユニットは、前述したいずれかの美顔器具と、パッド部の内部に設けられ、使用者の筋肉量を計測する筋肉量計測部と、筋肉量計測部により計測された使用者の筋肉量を表示する筋肉量表示部と、を備えている。【００２３】
また、上記課題を解決するために、本発明の美顔ユニットは、前述したいずれかの美顔器具と、パッド部の内部に設けられ、使用者の肌水分量および肌弾力量のうち、少なくともいずれか一方を計測する肌状態計測部と、肌状態計測部により計測された肌の状態を表示する肌状態表示部と、を備えている。
【発明の効果】
【００２４】
本発明の美顔器具によれば、パッド部に複数の電極が設けられている。このため、パッド部を使用者の顔面に装着した状態で、電源部から電極に向けて電圧を印可すると、使用者の顔面の筋肉に電気的な刺激を与えることができる。これにより、使用者の顔面に、疲労回復効果、および痩身効果を奏することができる。また、習慣的に継続して使用することにより、筋肉量を増加するとともに、血行が促進されることにより、引き締め効果や美肌効果も奏することができる。【００２５】
またパッド部が、使用者の頬部、およびその周辺を被覆している。このため、このパッド部を使用者の顔面に装着した際に、パッド部が使用者の顔面を全体的に被覆することがない。これにより、美顔器具が顔面の一部のみを被覆することで、使用に際する不快感を抑え、楽しみながら使用することができる。
【図面の簡単な説明】
【００２６】
【図１】本発明の第１実施形態に係る美顔器具を装着した状態を示す図である。
【図２】図１に示す美顔器具の正面図である。
【図３】本発明の第２実施形態に係る美顔器具を示す正面図である。
【図４】本発明の第２実施形態に係る美顔ユニットのシステム構成図である。
【図５】図３に示す美顔器具を使用者に装着した状態を説明する図である。
【図６】使用者の顔面の筋肉の名称と位置を説明する図である。
【図７】図３に示す美顔器具の変形例を示す図である。
【図８】本発明の第３実施形態に係る美顔器具の斜視図である。
【図９】本発明の第３実施形態に係る美顔器具の正面図である。
【図１０】本発明の第３実施形態に係る美顔器具の右側面図である。
【図１１】（ａ）図８に示すパッド部の側面視形状を示す図、ｂ）図８に示すパッド部の正面視形状を示す図である。
【図１２】本発明の第３実施形態に係る美顔器具の駆動モードを説明する図である。
【図１３】本発明の第３実施形態に係る美顔器具の使用態様の一例を示す図である。
【図１４】本発明の第３実施形態に係る美顔器具の使用態様の他の例を示す図である。
【発明を実施するための形態】
【００２７】
（第１実施形態）
以下に、本発明の第１実施形態に係る美顔器具１について、図１および図２を参照して説明する。なお、美顔ユニット１００の構成については、第２実施形態で説明する。
本実施形態に係る美顔器具１は、使用者の顔面に装着され、顔面の筋肉に電気的な刺激を与えるＥＭＳ（Electrical Muscle Stimulation）機器である。
【００２８】
図１は、本発明の第１実施形態に係る美顔器具１を装着した状態を示す図であり、図２は、図１に示す美顔器具１の正面図である。
図１および図２に示すように、美顔器具１は、使用者の顔面に装着されるパッド部１０と、パッド部１０に設けられた複数の電極（図示せず）と、電極に電圧を印可する電源部３０と、を備えている。
【００２９】
パッド部１０は、使用者の頬部、およびその周辺を被覆している。ここで、頬部の周辺とは、頬骨の周りと口元横の頬下部であり、より具体的には目尻の外側、目の下側、口元を結ぶ逆三角形の領域の内側を指している。
パッド部１０は円形状を呈している。なお、パッド部１０は楕円形上、半円形状、矩形状、三角形状、多角形状等の他の形状であってもよい。
【００３０】
パッド部１０は、使用者の頬部における左右に一対配置されている。電極は、パッド部１０の任意の位置に配置することができる。
図２に示すように、左右一対のパッド部１０は、電源部３０を有する連結部５により、互いに連結されている。
【００３１】
連結部５は帯状をなしている。連結部５の中央部分に、電源部３０が配置されている。電源部３０には、電源スイッチ３２と、美顔器具１の動作を表示する表示部３４と、が配置されている。
図１に示すように、美顔器具１を使用する際には、使用者の頬部にパッド部１０を貼り付けて、連結部５が耳にかかるように配置する。なお、電極、電源部３０の構成、およびこれらの電気的な接続については、第２実施形態において詳述する。
【００３２】
（第２実施形態）
次に、本発明の第２実施形態に係る美顔器具２、および美顔ユニット１００について、図３から図７を参照して説明する。なお、この説明では上記実施形態と異なる部分についてのみ説明し、同一の構成については、その説明を省略する。
【００３３】
図３は、本発明の第２実施形態に係る美顔器具２を示す正面図であり、図４は、美顔ユニット１００のシステム構成図である。
図３に示すように、パッド部１０は、基部１１から先端部１２に向けて互いに異なる方向に延びる形状を呈している。図示の例では、パッド部１０は三つ又形状を呈している。なお、パッド部１０は三つ又以外の形状であってもよい。
【００３４】
パッド部１０は合成化合物により一体に形成されている。本実施形態では、パッド部１０には合成樹脂材料であるシリコン材料が採用されている。なお、パッド部１０の材料としては、合成樹脂材料に代えて、繊維材料等のその他の合成化合物を採用してもよい。
パッド部１０は、基部１１を通る略円弧状に延びる円弧状パッド１３と、基部１１から、円弧状パッド１３における円弧の内側に向けて延びる中間パッド１４と、を備えている。
【００３５】
円弧状パッド１３の両端部同士の周方向の大きさは、中心角が９０°以下となっている。中間パッド１４は、円弧状パッド１３の周方向の中央部に接続されている。円弧状パッド１３と中間パッド１４との接続部分が、パッド部１０の基部１１になっている。
中間パッド１４の大きさは、円弧状パッド１３の周方向の大きさの半分程度になっている。円弧状パッド１３および中間パッド１４それぞれの幅方向の大きさは、互いに同等になっている。
パッド部１０の基部１１には、平面視で円形状を呈する取り付けパッド１５が形成されている。
【００３６】
複数の電極２０は、パッド部１０の先端部１２、および基部１１に各別に設けられている。すなわち、本実施形態では４つの電極２０がパッド部１０に設けられている。電極２０は電源部３０と導線により電気的に接続されている。
電極２０には、例えば銀インクを採用することができる。銀インクを採用することで、電源からの電力を効率的に電極２０に伝達することができる。なお、電極２０としては銀インク以外の材料を採用してもよい。
【００３７】
なお、複数の電極２０は、パッド部１０の先端部１２、および基部１１に各別に設けられていなくてもよい。すなわち、電極２０の数量は４つに限定されることはなく、２つ以上の電極２０が、パッド部１０のうち、任意の位置に設けられていればよい。
【００３８】
電源部３０は、正面視で円形状を呈する電源部本体３１の内部に設けられている。電源部本体３１は、パッド部１０の取り付けパッド１５に取り付けられている。電源部本体３１には、電源部本体３１を起動させる電源スイッチ３２と、電源部本体３１の起動を表示する表示灯３３と、が設けられている。
【００３９】
図４に示すように、電源部本体３１には、電源部３０を制御する制御部４０が設けられている。制御部４０は、後述する操作部５０に入力された電圧値に基づいて、電源部３０を制御する。ここで、電圧値とは、電極２０に印可される電圧の大きさと、周波数と、を意味する。
【００４０】
ここで、電極２０に印可される電圧の基本周波数は４〜７０Hzであり、そこで発生するパルス周波数は１ｋＨｚ〜１０ＫＨｚであることが好ましい。顔面の筋肉が繊細であることを考慮して設定することが好ましい。このような態様に限られず、任意に設定することができる。例えばパルス周波数を５００ＫＨｚ以上にしてもよい。
【００４１】
美顔器具２はまた、電極２０に印可される電圧を入力する操作部５０と、操作部５０から制御部４０に向けて、電圧の入力値を無線通信で伝達する無線通信部６０を備えている。
操作部５０は、図示しないリモコン型のコントローラに内蔵されている。コントローラを操作することで、操作部５０に所望する電圧を入力することができる。なお、操作部５０は、例えば図示しないスマートフォンのアプリ等により実現してもよい。
【００４２】
無線通信部６０は、操作部５０への入力値を、指令値として送信する送信部６２と、送信部６２からの指令値を受信して制御部４０に伝達する受信部６１と、を備えている。
送信部６２は、コントローラの内部に設けられている。一方、受信部６１は、電源部本体３１の内部に設けられている。なお、操作部５０をスマートフォンのアプリ等により実現する場合には、送信部６２はスマートフォンの通信機能を利用することができる。
【００４３】
次に、美顔器具２が用いられる美顔ユニット１００について説明する。
美顔ユニット１００は、美顔器具２と、電極２０に印可された電圧値の履歴を記録する記録部７０と、履歴を表示する履歴表示部７１と、を備えている。
記録部７０は、電源部本体３１の内部に設けられている。履歴表示部７１は例えば図示しないスマートフォンのアプリ等であり、記録部７０との無線通信により、記録部７０が記録した電圧値の履歴をスマートフォンの画面に表示する。
【００４４】
また、美顔ユニット１００は、パッド部１０の内部に設けられ、使用者の筋肉量を計測する計測部（筋肉量計測部）８０と、計測措置により計測された使用者の筋肉量を表示する状態表示部（筋肉量表示部）８１と、を備えている。
計測部８０は、パッド部１０の任意の位置に設けることができる。計測部８０は、例えば、使用者の体内に向けて微弱な電気を流し、抵抗値を測定することで使用者の顔面の筋肉量を計測する。
【００４５】
状態表示部８１は、例えば図示しないスマートフォンのアプリ等であり、計測部８０との無線通信により、計測部８０が計測した使用者の筋肉量をスマートフォンの画面に表示する。
ここで、操作部５０、履歴表示部７１、および状態表示部８１は、一つのアプリにより実現してもよい。
【００４６】
また、計測部８０は、使用者の肌水分量および肌弾力量のうち、少なくともいずれか一方を計測する肌状態計測部としての機能も有している。そして、状態表示部８１は、計測部８０により計測された肌の状態を表示する肌状態表示部としての機能も有している。
状態表示部８１は、計測部８０との無線通信により、計測部８０が計測した使用者の肌水分量および肌弾力量をスマートフォンの画面に表示する。
【００４７】
すなわち、本実施形態では、筋肉量計測部と肌状態計測部とが、計測部８０として一体に構成され、筋肉量表示部と肌状態表示部とが、状態表示部８１として一体に構成されている。なお、このような態様に限られず、計測部８０のうち、筋肉量計測部と肌状態計測部とを別々に構成してもよいし、状態表示部８１のうち、筋肉量表示部と肌状態表示部とを別々に構成してもよい。
【００４８】
次に、美顔器具２の使用方法について説明する。
図５は、美顔器具２を使用者に装着した状態を説明する図であり、図６は、使用者の顔面の筋肉の名称と位置を説明する図である。以下の説明において、顔面の筋肉の名称および位置の詳細については図６を参照されたい。
図５に示すように、美顔器具２を使用する際には、使用者の顔面における頬骨部Ｂ１に、パッド部１０の基部１１が位置するとともに、中間パッド１４が眼窩下部に位置するように、パッド部１０を配置する。
【００４９】
ここで、パッド部１０を顔面に貼り付ける際には、パッド部１０のうち、顔面と接触する面の全体に、例えばヒアルロン酸等の保湿成分を備えた導電性のジェルを塗布することが好ましい。
これにより、パッド部１０を顔面に長時間貼り付けることができるとともに、ジェルを介して広範囲に電流を流すことができる。また、ジェルが保湿成分を備えているので、肌を保湿することもできる。
【００５０】
そして、このように配置することで、円弧状パッド１３のうち、基部１１から上方に向けて延びる上側パッド１３Aが、眼輪筋Ｍ１と側頭筋Ｍ２との間に沿って延びることとなる。
またこの際、円弧状パッド１３のうち、基部１１から下方に向けて延びる下側パッド１３Bが、大頬骨筋Ｍ３に沿って、頬筋Ｍ４および口輪筋Ｍ５に向けて延びることとなる。
またこの際、中間パッド１４が、眼輪筋Ｍ１に沿って、上唇挙筋Ｍ６に向けて延びることとなる。
【００５１】
そして、この状態で、操作部５０に所望する電圧値を入力すると、送信部６２および受信部６１を介して制御部４０に指令値が伝達され、制御部４０が指令値に基づいて電源部３０を制御する。
これにより、電極２０に使用者が所望した大きさ、および周波数の電圧が印可され、電極２０から使用者の顔面の筋肉に電流が流れることとなる。この電流により筋肉が収縮することで、筋肉に刺激を与えることができる。
【００５２】
また、使用者は、例えばスマートフォンにより、電極２０に印可された電圧値の履歴や、計測部８０により計測された筋肉量を確認する。これにより、使用履歴や筋肉の成長度を定期的に確認することで、継続して使用するうえでの動機づけを得ることとなる。
【００５３】
（第３実施形態）
次に、本発明の第３実施形態に係る美顔器具３について、図８から図１４を参照して説明する。なお、この説明では上記実施形態と異なる部分についてのみ説明し、同一の構成については、その説明を省略する。
【００５４】
図８は、美顔器具３の斜視図、図９は美顔器具３の正面図、図１０は美顔器具３の右側面図である。
図８に示すように、美顔器具３は、ヘッドフォンを模した形状となっている。美顔器具３は、左右に一対設けられたパッド部９０と、一対のパッド部９０を連結する連結部９１と、を備えている。連結部９１には、電源部３０が設けられている。
【００５５】
連結部９１は、使用者が使用する際に、使用者の頭部又は首部を覆うように湾曲して延びるバンド部材である。
本実施形態では、連結部９１は、使用者の頭部を覆うヘッドバンド９２と、ヘッドバンド９２の両端部から延びる一対のスライダーバンド９３と、スライダーバンド９３と連結された一対のハウジング９４と、を備えている。なお、使用者の頭部を覆うヘッドバンド９２に代えて、使用者の首部の後側を覆うネックバンドを採用してもよい。
以下の説明では、美顔器具３を使用する使用者の向きを基準にして、前後方向、左右方向、上下方向を定義する。
【００５６】
図９に示すように、ヘッドバンド９２の正面視における厚み寸法は、ヘッドバンド９２の位置により異なっている。ヘッドバンド９２の厚み寸法は、中央部から両端部に向かうに従い漸次、大きくなっている。ヘッドバンド９２の両端部に、電源部３０および無線通信部６０がそれぞれ内蔵されている。
図１０に示すように、ヘッドバンド９２の前後方向の幅寸法は、ヘッドバンド９２の全域において均一になっている。
【００５７】
図９に示すように、スライダーバンド９３の正面視における厚み寸法は、ヘッドバンド９２の厚み寸法よりも小さく、スライダーバンド９３の全域において均一になっている。
図１０に示すように、スライダーバンド９３の前後方向の幅寸法は、ヘッドバンド９２の幅寸法よりも小さく、スライダーバンド９３の全域において均一になっている。
【００５８】
スライダーバンド９３はヘッドバンド９２の内部に収容可能に配置され、使用者が選択するパッド部９０の位置に従って、ヘッドバンド９２から引き出されることで長さを調整可能となっている。
スライダーバンド９３の長さが調整可能となっていることで、使用者の好みの位置にパッド部９０を接触させることができる。
【００５９】
図９に示すように、ハウジング９４は、スライダーバンド９３の下端部に連結されている。ハウジング９４にはパッド部９０が支持軸９５を介して連結されている。
支持軸９５は、パッド部９０を連結部９１の両端部であるハウジング９４に対して回転可能に支持している。ハウジング９４は矩形状を呈している。支持軸９５はハウジング９４の内部に設けられている。
【００６０】
図１１に示すようにパッド部９０は矩形状をなしている。図１１（ａ）は、パッド部９０の側面視形状を示す図、図１１（ｂ）は、パッド部９０の正面視形状を示す図である。
パッド部９０は４辺のうちの２辺が湾曲している。パッド部９０の周縁部のうち、前方に位置する前縁部は、上下方向の中央部が後方に向けて突となる曲線状に形成されている。パッド部９０の周縁部のうち、後方に位置する後縁部は、上下方向の中央部が後方に向けて突となる曲線状に形成されている。パッド部９０には複数の電極２０が設けられている。
【００６１】
複数の電極２０は、正極（＋）および負極（−）が、パッド部９０にそれぞれ２組設けられている。図示の例では、パッド部９０の前側に、正極および負極が１組設けられ、パッド部９０の後側に、正極および負極が１組設けられている。なお、電極２０の配置状態は任意に変更することができる。例えば、電極２０は正極（＋）および負極（−）が１組だけ配置されてもよいし、３組以上配置されてもよい。
【００６２】
次に美顔器具３の駆動モードについて図１２を用いて説明する。図１２は、美顔器具３の駆動モードを説明する図である。
図１２に示すように、美顔器具３は、複数の駆動モードとしてウォーミングアップモード、トレーニングモード、およびクーリングダウンモードを備えている。そして、電源部３０がＯＮになると、ウォーミングアップモード、トレーニングモード、およびクーリングダウンモードの順に、複数の駆動モードが切り替わるように駆動する。
【００６３】
トレーニングモードにおいて、電極２０に印可される電圧の周波数は、ウォーミングアップモードおよびクーリングダウンモードにおいて、電極２０に印可される電圧の周波数よりも高くなっている。全ての駆動モードにおいて、電極２０に印可される電圧の振幅は、全て同等になっている。
【００６４】
ウォーミングアップモードにおいて、電極２０に印可される電圧の周波数は、クーリングダウンモードにおいて、電極２０に印可される電圧の周波数と互いに同等となっている。
ウォーミングアップモードにおいて、電極２０に印可される電圧の周波数は、トレーニングモードにおいて、電極２０に印可される電極２０の周波数の半分以下となっている。
【００６５】
美顔器具３は、この３つの駆動モードをそれぞれ１分間ずつ駆動させ、３分間を１ｓｅｔとして、例えば３ｓｅｔ分駆動する。本実施形態では各駆動モードの駆動時間は同等になっているが、駆動モード毎に駆動時間を変更してもよいし、ｓｅｔ数を変更してもよい。駆動モードの調整は、制御部４０が行う。また、操作部５０を操作して、各駆動モードにおける駆動時間を使用者が変更してもよい。
【００６６】
次に、美顔器具３の使用状態について図１３および図１４を参照して説明する。図１３は美顔器具３の使用態様の一例を示す図である。図１４は、美顔器具３の使用態様の他の例を示す図である。
図１３に示すように、美顔器具３を使用する場合には、ヘッドバンド９２により頭頂部を覆うように、頭部に装着する。これにより、パッド部９０が眼輪筋Ｍ１、大頬骨筋Ｍ３、頬筋Ｍ４それぞれにおける少なくとも一部を覆う（図６参照）。この状態で美顔器具３を駆動させることで、これらの筋肉に刺激を与えることができる。
【００６７】
次に、図１４に示すように、図１３に示す状態から、スライダーバンド９３を伸ばすとともに、支持軸９５回りに、スライダーバンド９３に対してパッド部９０を回転させる。これにより、パッド部９０のうち、電極２０が設けられた部分は、使用者の顔面のうち、眼の中心よりも左右方向における顔面の内側に位置する部分に接触する。
このとき、パッド部９０は、眼輪筋Ｍ１、大頬骨筋Ｍ３、頬筋Ｍ４だけでなく、口輪筋Ｍ５や上唇挙筋Ｍ６の少なくとも一部を覆うようになる（図６参照）。これにより、より一層広範囲にわたって、電極２０からの刺激を顔面に与えることができる。
【００６８】
以上説明したように、美顔器具１、２、３によれば、パッド部１０に複数の電極２０が設けられている。このため、パッド部１０を使用者の顔面に装着した状態で、電源部３０から電極２０に向けて電圧を印可すると、使用者の顔面の筋肉に電気的な刺激を与えることができる。これにより、使用者の顔面に、疲労回復効果、および痩身効果を与え、美容に供することができる。また、習慣的に継続して使用することにより、筋肉量を増加するとともに、血行が促進されることにより、引き締め効果や美肌効果も奏することができる。
【００６９】
またパッド部１０が、使用者の頬部、およびその周辺を被覆している。このため、このパッド部１０を使用者の顔面に装着した際に、パッド部１０が使用者の顔面を全体的に被覆することがない。これにより、美顔器具１が顔面の一部のみを被覆することで、使用に際する不快感を抑え、楽しみながら使用することができる。
【００７０】
また、第１実施形態に係る美顔器具１では、パッド部１０は円形状を呈し、左右一対のパッド部１０が、電源部３０を有する連結部５により、互いに連結されている。このため、パッド部１０の見栄えを良くするとともに、連結部５により一対のパッド部１０同士が連結されていることで、美顔器具１の取り扱い性を向上することができる。
【００７１】
また、第２実施形態に係る美顔器具２では、パッド部１０が、基部１１から先端部１２に向けて互いに異なる方向に延びる形状を呈している。このため、このパッド部１０を使用者の顔面に装着した際に、パッド部１０のうち、複数の先端部１２同士の間に空間が形成されることで、パッド部１０が使用者の顔面を全体的に被覆することがない。
【００７２】
また、電源部３０が、パッド部１０の基部１１に取り付けられているので、例えば電源部３０がパッド部１０の先端部１２に取り付けられているような構成と比較して、重量バランスの偏りを少なくすることができる。これにより、美顔器具２を顔面に装着したときに、パッド部１０が顔面から外れるのを抑制することができる。
【００７３】
また、パッド部１０が、基部１１を通る略円弧状に延びる円弧状パッド１３と、基部１１から、円弧状パッド１３における円弧の内側に向けて延びる中間パッド１４と、を備えている。
このため、使用者の顔面の頬骨部Ｂ１に、パッド部１０の基部１１が位置するようにパッド部１０を装着すると、円弧状パッド１３のうち、基部１１から上方に向けて延びる上側パッド１３Aが、眼輪筋Ｍ１と側頭筋Ｍ２との間に沿って延びることとなる。
またこの際、円弧状パッド１３のうち、基部１１から下方に向けて延びる下側パッド１３Bが、大頬骨筋Ｍ３に沿って、頬筋Ｍ４および口輪筋Ｍ５に向けて延びることとなる。またこの際、中間パッド１４が、眼輪筋Ｍ１に沿って、上唇挙筋Ｍ６に向けて延びることとなる。
【００７４】
これにより、顔の表情の印象に対して大きく影響する眼輪筋Ｍ１、側頭筋Ｍ２、大頬骨筋Ｍ３、上唇挙筋Ｍ６、口輪筋Ｍ５および頬筋Ｍ４に対して、電気的な刺激を効率的に作用させることで、各筋肉が引き締まり、リフトアップ効果を得ることができる。すなわち、例えば顔面のうち、無作為に選択した部分に漠然と刺激を与えるような構成と比較して、より一層効果的に美顔器具２を美容に供することができる。
【００７５】
また、パッド部１０が合成化合物により一体に形成されているので、パッド部１０を軽量化することができるとともに、例えば射出成型等により安価に製造することができる。
また、合成化合物のうち、シリコン材料を採用することで、使用者の肌への負担や環境負荷を小さくすることができる。
【００７６】
また、美顔器具２が、電極２０に印可される電圧値を入力する操作部５０と、操作部５０に入力された電圧値に基づいて、電源部３０を制御する制御部４０と、を備えている。このため、使用者のニーズに合わせて、電圧の大きさを変化させたり、電圧の周波数を変化させたりすることができる。これにより、美顔器具２が顔面の筋肉に与える刺激を多様にすることで、幅広い層の使用者に適した仕様とすることができる。
また、美顔器具２が無線通信部６０を備えているので、操作部５０を電源部３０とは別に設けることが可能になり、電源部３０の小型化および軽量化を実現することができる。
【００７７】
また、本実施形態に係る美顔ユニット１００は、電極２０に印可された電圧値の履歴を記録する記録部７０と、履歴を表示する履歴表示部７１と、を備えている。このため、使用者がこれまでに使用した時間や、その時の電圧値を定期的に確認することで、美顔器具２を継続して使用するための動機づけを得ることができる。
【００７８】
また、本実施形態に係る美顔ユニット１００は、使用者の筋肉量を計測する計測部８０と、計測部８０により計測された使用者の筋肉量を表示する状態表示部８１と、を備えている。このため、使用者が自身の筋肉の成長度を定期的に確認することで、美顔器具２を継続して使用するための動機づけをより一層顕著に得ることができる。
【００７９】
また、本実施形態に係る美顔ユニット１００は、使用者の肌水分量および肌弾力量のうち、少なくともいずれか一方を計測する計測部８０と、計測部８０により計測された使用者の肌水分量および肌弾力量を表示する状態表示部８１と、を備えている。このため、使用者が自身の肌状態の変化を定期的に確認することで、美顔器具２を継続して使用するための動機づけを更に得ることができる。
【００８０】
また、美顔器具３において、連結部９１が、使用者の頭部又は首部を覆うように湾曲して延びるバンド部材であるので、連結部９１により、パッド部９０を確実に使用者の頭部に固定することができる。これにより、使用中にパッド部９０が使用者の顔面から外れるのを防ぐことができる。
【００８１】
また、パッド部９０が矩形状をなしているので、パッド部９０の角部を顔面に局所的に接触させることにより、細かな筋肉で構成された顔面に対して、適切に刺激を与えることができる。
また、複数の電極２０は、正極および負極が、パッド部９０にそれぞれ２組設けられているので、電気が流れる経路を２つ設けることができ、効果的に顔面に電気刺激を与えることができる。
【００８２】
また、パッド部９０を連結部９１の両端部に連結する支持軸９５を備え、支持軸９５が、パッド部９０を連結部９１の両端部に対して回転可能に支持しているので、パッド部９０を連結部９１に対して回転することで、顔面のうち、パッド部９０が接触する部分を任意に調整することができる。これにより、使用者の利便性を確保することができる。
【００８３】
また、パッド部９０のうち、電極２０が設けられた部分は、使用者の顔面のうち、眼の中心よりも左右方向における顔面の内側に位置する部分に接触しているので、特に眼輪筋Ｍ１に効果的に刺激を与えることで、加齢とともに弛みやすい目元のラインを引き締めることができる。
【００８４】
また、美顔器具３における複数の駆動モードとして、ウォーミングアップモード、トレーニングモード、およびクーリングダウンモードを備えるとともに、この順に複数の駆動モードが切り替わるように駆動する。
そして、ウォーミングアップモードおよびクーリングダウンモードにおいて、電極２０に印可される電圧の周波数は、トレーニングモードにおいて、電極２０に印可される電圧の周波数よりも小さくなっている。このため、繊細な顔の筋肉に対していきなり大きな刺激を与えることなく、ウォーミングアップモードにおいて、充分に筋肉をほぐしたのちに、トレーニングモードに移行することができる。
【００８５】
また、トレーニングモードの後に、即座に刺激を無くすのではなく、クーリングダウンモードで美顔器具３を動作させることで、トレーニングモードにより筋肉に生じた疲労物質の排出を促すことができる。これにより、美顔器具３を使用したことにより顔面にむくみが生じるのを抑えることができる。
【００８６】
また、ウォーミングアップモードにおいて、電極２０に印可される電圧の周波数は、クーリングダウンモードにおいて、電極２０に印可される電圧の周波数と互いに同等となっている。これにより、電源部３０で生成する電圧のパターンを少なくして、電源部３０の構成をシンプルにすることができる。
【００８７】
また、ウォーミングアップモードにおいて、電極２０に印可される電圧の周波数は、トレーニングモードにおいて、電極２０に印可される電極２０の周波数の半分以下となっている。これにより、ウォーミングアップモードおよびクーリングダウンモードと、トレーニングモードと、の違いを顕著にして、それぞれの駆動モードの効果を確実に奏功させることができる。
【００８８】
なお、前述の実施形態は、本発明の代表的な実施形態を単に例示したものにすぎない。したがって、本発明の趣旨を逸脱しない範囲において、前述の実施形態に対して種々の変形を行ってもよい。
【００８９】
例えば、上記第２実施形態においては、電源部３０がパッドの基部１１に取り付けられている構成を示したが、このような態様に限られない。電源部３０はパッド部１０のうち、基部１１を除く部分に取り付けられてもよい。
【００９０】
また、上記第２実施形態においては、パッド部１０が円弧状パッド１３と中間パッド１４とを備えている構成を示したが、このような態様に限られない。パッド部１０はそれぞれが直線状に延びる三つ股状を呈してもよい。
【００９１】
また、上記第２実施形態では、パッド部１０が一体に形成されている構成を示したが、このような態様に限られない。パッド部１０は複数の部材により構成されてもよい。
また、上記実施形態では、美顔器具２が操作部５０と制御部４０とを備えている構成を示したが、このような態様に限られない。美顔器具２は操作部５０と制御部４０とを備えなくてもよい。
【００９２】
また、上記実施形態では、美顔器具２が無線通信部６０を備えている構成を示したが、このような態様に限られない。美顔器具２は無線通信部６０を備えなくてもよい。この場合には、例えば図７に示す変形例に係る美顔器具２Ｂのように、操作部５０Ａ、５０Ｂを直接、電源部本体３１に設けてもよい。
【００９３】
また、上記実施形態では、美顔ユニット１００が、記録部７０、履歴表示部７１、計測部８０、および状態表示部８１を備えている構成を示したが、このような態様に限られない。美顔ユニット１００は、記録部７０、履歴表示部７１、計測部８０、および状態表示部８１を備えなくてもよい。
【００９４】
また、上記第３実施形態で説明した駆動モードについては、任意に変更することができる。たとえば、ウォーミングアップモードおよびクーリングダウンそれぞれにおいて、電極２０に印可される電圧の周波数を、互いに異ならせてもよい。この場合には、ウォーミングアップモードにおいて、電極２０に印可される電圧の周波数を、クーリングダウンにおいて、電極２０に印可される電圧の周波数よりも大きくしてもよいし、その逆にしてもよい。
また、各駆動モードにおいて、電極２０に印可される電圧の周波数を、時間の経過とともに変化させてもよい。
【００９５】
また、前述した変形例に限られず、これらの変形例を選択して適宜組み合わせてもよいし、その他の変形を施してもよい。
【符号の説明】
【００９６】
１、２、２Ｂ、３  美顔器具
１０、９０  パッド部
１１  基部
１２  先端部
１３  円弧状パッド
１４  中間パッド
２０  電極
３０  電源部
４０  制御部
５０  操作部
６０  無線通信部
７０  記録部
７１  履歴表示部
８０  計測部（筋肉量計測部、肌状態計測部）
８１  状態表示部（筋肉量表示部、肌状態表示部）
１００  美顔ユニット
【図１】
2020012754.tif 000003
【図２】
2020012754.tif 000004
【図３】
2020012754.tif 000005
【図４】
2020012754.tif 000006
【図５】
2020012754.tif 000007
【図６】
2020012754.tif 000008
【図７】
2020012754.tif 000009
【図８】
2020012754.tif 000010
【図９】
2020012754.tif 000011
【図１０】
2020012754.tif 000012
【図１１】
2020012754.tif 000013
【図１２】
2020012754.tif 000014
【図１３】
2020012754.tif 000015
【図１４】
2020012754.tif 000016
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
使用者の顔面に装着されるとともに、使用者の頬部、およびその周辺を被覆するパッド部と、
前記パッド部に設けられた複数の電極と、前記電極に電圧を印可する電源部と、を備え、
前記パッド部は一対設けられ、
左右一対の前記パッド部が、前記電源部を有する連結部により、互いに連結され、
前記連結部は、使用者が使用する際に、使用者の頭部又は首部を覆うように湾曲して延びるバンド部材であるとともに、
使用者の頭部を覆うヘッドバンドと、
ヘッドバンドの両端部から延びる一対のスライダーバンドと、を備え、
前記スライダーバンドは、前記ヘッドバンドの内部に収容可能に配置され、使用者が選択する前記パッド部の位置に従って、前記ヘッドバンドから引き出されることで、前記ヘッドバンドから引き出される長さを調整可能となっている美顔器具。
【請求項２】
前記パッド部は矩形状をなし、
複数の前記電極は、正極および負極が、前記パッド部にそれぞれ２組設けられていることを特徴とする請求項１に記載の美顔器具。
【請求項３】
前記パッド部を前記連結部の両端部に連結する支持軸を備え、
前記支持軸は、前記パッド部を前記連結部の両端部に対して回転可能に支持することを特徴とする請求項１又は２に記載の美顔器具。
【請求項４】
前記パッド部のうち、前記電極が設けられた部分は、使用者の顔面のうち、眼の中心よりも左右方向における前記顔面の内側に位置する部分に接触することを特徴とする請求項３に記載の美顔器具。
【請求項５】
複数の駆動モードとしてウォーミングアップモード、トレーニングモード、およびクーリングダウンモードを備えるとともに、この順に前記複数の駆動モードが切り替わるように駆動し、前記トレーニングモードにおいて、前記電極に印可される電圧の周波数は、前記ウォーミングアップモードおよびクーリングダウンモードにおいて、前記電極に印可される電圧の周波数よりも高くなっていることを特徴とする請求項１から４のいずれか１項に記載の美顔器具。
【請求項６】
前記ウォーミングアップモードにおいて、前記電極に印可される電圧の周波数は、前記クーリングダウンモードにおいて、前記電極に印可される電圧の周波数と互いに同等となっているとともに、前記トレーニングモードにおいて、前記電極に印可される電極の周波数の半分以下となっていることを特徴とする請求項５に記載の美顔器具。
【請求項７】
前記電極に印可される電圧値を入力する操作部と、
前記操作部に入力された電圧値に基づいて、前記電源部を制御する制御部と、を備えていることを特徴とする請求項１から６のいずれか１項に記載の美顔器具。
【請求項８】
前記操作部から前記制御部に向けて、前記操作部に入力された電圧値を無線通信で伝達する無線通信部を備えていることを特徴とする請求項７に記載の美顔器具。
【請求項９】
前記請求項１から８のいずれか１項に記載の美顔器具と、
前記電極に印可された電圧値の履歴を記録する記録部と、
前記履歴を表示する履歴表示部と、を備えていることを特徴とする美顔ユニット。
【請求項１０】
前記請求項１から８のいずれか１項に記載の美顔器具と、
前記パッド部の内部に設けられ、使用者の筋肉量を計測する筋肉量計測部と、
前記筋肉量計測部により計測された使用者の筋肉量を表示する筋肉量表示部と、を備えた美顔ユニット。
【請求項１１】
前記請求項１から８のいずれか１項に記載の美顔器具と、
前記パッド部の内部に設けられ、使用者の肌水分量および肌弾力量のうち、少なくともいずれか一方を計測する肌状態計測部と、
前記肌状態計測部により計測された肌の状態を表示する肌状態表示部と、を備えた美顔ユニット。
【手続補正書】
【提出日】令和2年2月17日(2020.2.17)
【手続補正１】
【補正対象書類名】特許請求の範囲
【補正対象項目名】全文
【補正方法】変更
【補正の内容】
【特許請求の範囲】
【請求項１】
使用者の顔面に装着されるとともに、使用者の頬部、およびその周辺を被覆する矩形状のパッド部と、
前記パッド部に設けられた複数の電極と、前記電極に電圧を印可する電源部と、を備え、
複数の前記電極における正極および負極からなる組が前記パッド部にそれぞれ２組設けられているとともに、前記パッド部における一の縁部に前記電極の正極および負極からなる組が１組設けられ、前記一の縁部と対向する他の縁部に前記電極の正極および負極からなる組の他の１組が設けられ、
前記パッド部は一対設けられ、
左右一対の前記パッド部が、前記電源部を有する連結部により、互いに連結され、
前記連結部は、使用者が使用する際に、使用者の頭部又は首部を覆うように湾曲して延びるバンド部材であるとともに、
使用者の頭部を覆うヘッドバンドと、
ヘッドバンドの両端部から延びる一対のスライダーバンドと、を備え、
前記スライダーバンドは、前記ヘッドバンドの内部に収容可能に配置され、使用者が選択する前記パッド部の位置に従って、前記ヘッドバンドから引き出されることで、前記ヘッドバンドから引き出される長さを調整可能となっている美顔器具。
【請求項２】
前記パッド部を前記連結部の両端部に連結する支持軸を備え、
前記支持軸は、前記パッド部を前記連結部の両端部に対して回転可能に支持することを特徴とする請求項１に記載の美顔器具。
【請求項３】
前記パッド部のうち、前記電極が設けられた部分は、使用者の顔面のうち、眼の中心よりも左右方向における前記顔面の内側に位置する部分に接触することを特徴とする請求項２に記載の美顔器具。
【請求項４】
複数の駆動モードとしてウォーミングアップモード、トレーニングモード、およびクーリングダウンモードを備えるとともに、この順に前記複数の駆動モードが切り替わるように駆動し、前記トレーニングモードにおいて、前記電極に印可される電圧の周波数は、前記ウォーミングアップモードおよびクーリングダウンモードにおいて、前記電極に印可される電圧の周波数よりも高くなっていることを特徴とする請求項１から３のいずれか１項に記載の美顔器具。
【請求項５】
前記ウォーミングアップモードにおいて、前記電極に印可される電圧の周波数は、前記クーリングダウンモードにおいて、前記電極に印可される電圧の周波数と互いに同等となっているとともに、前記トレーニングモードにおいて、前記電極に印可される電極の周波数の半分以下となっていることを特徴とする請求項４に記載の美顔器具。
【請求項６】
前記電極に印可される電圧値を入力する操作部と、
前記操作部に入力された電圧値に基づいて、前記電源部を制御する制御部と、を備えていることを特徴とする請求項１から５のいずれか１項に記載の美顔器具。
【請求項７】
前記操作部から前記制御部に向けて、前記操作部に入力された電圧値を無線通信で伝達する無線通信部を備えていることを特徴とする請求項６に記載の美顔器具。
【請求項８】
前記請求項１から７のいずれか１項に記載の美顔器具と、
前記電極に印可された電圧値の履歴を記録する記録部と、
前記履歴を表示する履歴表示部と、を備えていることを特徴とする美顔ユニット。
【請求項９】
前記請求項１から７のいずれか１項に記載の美顔器具と、
前記パッド部の内部に設けられ、使用者の筋肉量を計測する筋肉量計測部と、
前記筋肉量計測部により計測された使用者の筋肉量を表示する筋肉量表示部と、を備えた美顔ユニット。
【請求項１０】
前記請求項１から７のいずれか１項に記載の美顔器具と、
前記パッド部の内部に設けられ、使用者の肌水分量および肌弾力量のうち、少なくともいずれか一方を計測する肌状態計測部と、
前記肌状態計測部により計測された肌の状態を表示する肌状態表示部と、を備えた美顔ユニット。
【国際調査報告】
2020012754.tif 000017
2020012754.tif 000018
2020012754.tif 000019
2020012754.tif 000020